(57)【要約】【課題】広告として宣伝効果に優れ、携帯電話端末の使用者が広告の対象店舗へ来店する確率を上げるようにする。【解決手段】携帯電話事業者サーバ１により、予め配信を希望する携帯電話端末２が特定のエリアに位置するときに動画による広告を配信する。また、携帯電話事業者サーバ１により、携帯電話端末２へ広告を配信した後に、携帯電話端末２へ配信した広告の対象店舗への道順情報等の携帯電話端末２の使用者を店舗へ導くための情報を時々刻々配信する。【選択図】　　　図１
2004015760.tif 000002
【特許請求の範囲】
【請求項１】
動画情報受信機能を備えた携帯電話端末へ動画による広告を配信する携帯電話端末用広告配信方法であって、
予め配信を希望する前記携帯電話端末が特定のエリアに位置するときに前記動画による広告を配信するようにしたことを特徴とする携帯電話端末用広告配信方法。
【請求項２】
前記携帯電話端末が備えるＧＰＳ受信機機能を利用して前記携帯電話端末の位置を検出することにより、前記携帯電話端末が前記特定のエリアに存在するか否か判断するようにしたことを特徴とする請求項１記載の携帯電話端末用広告配信方法。
【請求項３】
前記携帯電話端末が予め定められた時間に前記特定のエリアに位置する場合に、この予め定められた時間にのみ配信すべき前記動画による広告を配信するようにしたことを特徴とする請求項１又は２記載の携帯電話端末用広告配信方法。
【請求項４】
前記配信する広告を、前記携帯電話端末の使用者の指示により、予め指定されたカテゴリの広告としたことを特徴とする請求項１、２又は３記載の携帯電話端末用広告配信方法。
【請求項５】
動画情報受信機能及びＧＰＳ受信機機能を備えた携帯電話端末へ動画による広告を配信する携帯電話端末用広告配信方法であって、
予め、前記動画による広告の配信を希望する前記携帯電話端末の使用者から、配信を希望するカテゴリの情報を収集しておき、前記ＧＰＳ受信機機能により得た位置情報に基づいて前記携帯電話端末の位置を特定し、前記携帯電話端末が特定のエリアに位置するときに、前記カテゴリの広告を配信するようにしたことを特徴とする携帯電話端末用広告配信方法。
【請求項６】
前記携帯電話端末が予め定められた時間に前記特定のエリアに位置する場合に、この予め定められた時間にのみ配信すべき前記動画による広告を配信するようにしたことを特徴とする請求項５記載の携帯電話端末用広告配信方法。
【請求項７】
携帯電話端末へ配信した広告の対象店舗へ前記携帯電話端末の使用者を導くための情報を時々刻々配信するようにした携帯電話端末用ナビゲート情報配信方法であって、
前記携帯電話端末へ前記広告を配信した後に、前記携帯電話端末の位置情報，前記広告の対象店舗の位置情報，前記携帯電話端末の位置と前記店舗の位置とを含む地図情報及び前記携帯電話端末の位置から前記店舗の位置までの道順情報を前記携帯電話端末に時々刻々配信するようにしたことを特徴とする携帯電話端末用ナビゲート情報配信方法。
【請求項８】
前記携帯電話端末の位置情報は、前記携帯電話端末が備えるＧＰＳ受信機機能を利用して検出するようにしたことを特徴とする請求項７記載の携帯電話端末用ナビゲート情報配信方法。
【請求項９】
前記広告の対象店舗の位置情報は、この広告とともに予め保有しておくようにし、前記地図情報は、前記広告の対象店舗を含む予め定めた範囲の地図情報であり前記広告とともに予め保有しておくようにしたことを特徴とする請求項７又は８記載の携帯電話端末用ナビゲート情報配信方法。
【発明の詳細な説明】
【０００１】
【発明の属する技術分野】
本発明は携帯電話端末用広告配信方法および携帯電話端末用ナビゲート情報配信方法に関し、特に携帯電話端末へ広告を配信する携帯電話端末用広告配信方法および広告の対象店舗へ携帯電話端末の使用者を導くための情報を配信する携帯電話端末用ナビゲート情報配信方法に関する。
【０００２】
【従来の技術】
従来、この種の携帯電話端末用広告配信方法は、例えば、特開２００１−３５９１６６号公報に開示されているように、特定のエリアに位置する携帯電話端末に対して広告を配信するために用いられている。
【０００３】
この従来の携帯電話端末用広告配信方法は、文字情報受信機能を備えた携帯電話端末へ広告メッセージを配信する方法であり、携帯電話端末が特定のエリアに位置する場合にのみ広告メッセージを配信するようにしている。
【０００４】
【発明が解決しようとする課題】
上述した従来の携帯電話端末用広告配信方法は、携帯電話端末が特定のエリアに位置する場合にのみ広告メッセージを文字情報受信機能を備えた携帯電話端末へ配信するようにしている。このように、従来の携帯電話端末用広告配信方法は、広告を文字情報にて携帯電話端末に配信しているので、
文字情報での広告ではこの広告の対象店舗でどのような商品（食品、ランチ、パソコン等）が販売されているのかその詳細が分からない等、広告として宣伝効果が欠けているという問題がある。
【０００５】
また、携帯電話端末の使用者はこの広告を携帯電話端末に表示して見るだけなので携帯電話端末の使用者が広告の対象店舗へ来店する確率が低いという問題がある。
【０００６】
本発明の目的はこのような従来の欠点を除去するため、広告として宣伝効果に優れた携帯電話端末用広告配信方法、および、携帯電話端末の使用者が広告の対象店舗へ来店する確率を上げるための携帯電話端末用ナビゲート情報配信方法を提供することにある。
【０００７】
【課題を解決するための手段】
本発明の第１の携帯電話端末用広告配信方法は、動画情報受信機能を備えた携帯電話端末へ動画による広告を配信する携帯電話端末用広告配信方法であって、予め配信を希望する前記携帯電話端末が特定のエリアに位置するときに前記動画による広告を配信するようにしている。
【０００８】
また、本発明の第１の携帯電話端末用広告配信方法において、前記携帯電話端末が備えるＧＰＳ受信機機能を利用して前記携帯電話端末の位置を検出することにより、前記携帯電話端末が前記特定のエリアに存在するか否か判断するようにしている。
【０００９】
更に、本発明の第１の携帯電話端末用広告配信方法において、前記携帯電話端末が予め定められた時間に前記特定のエリアに位置する場合に、この予め定められた時間にのみ配信すべき前記動画による広告を配信するようにしている。
【００１０】
本発明の第２の携帯電話端末用広告配信方法は、動画情報受信機能及びＧＰＳ受信機機能を備えた携帯電話端末へ動画による広告を配信する携帯電話端末用広告配信方法であって、
予め、前記動画による広告の配信を希望する前記携帯電話端末の使用者から、配信を希望するカテゴリの情報を収集しておき、前記ＧＰＳ受信機機能により得た位置情報に基づいて前記携帯電話端末の位置を特定し、前記携帯電話端末が特定のエリアに位置するときに、前記カテゴリの広告を配信するようにしている。
【００１１】
また、本発明の第２の携帯電話端末用広告配信方法において、前記携帯電話端末が予め定められた時間に前記特定のエリアに位置する場合に、この予め定められた時間にのみ配信すべき前記動画による広告を配信するようにしている。
【００１２】
本発明の携帯電話端末用ナビゲート情報配信方法は、携帯電話端末へ配信した広告の対象店舗へ前記携帯電話端末の使用者を導くための情報を時々刻々配信するようにした携帯電話端末用ナビゲート情報配信方法であって、
前記携帯電話端末へ前記広告を配信した後に、前記携帯電話端末の位置情報，前記広告の対象店舗の位置情報，前記携帯電話端末の位置と前記店舗の位置とを含む地図情報及び前記携帯電話端末の位置から前記店舗の位置までの道順情報を前記携帯電話端末に時々刻々配信するようにしている。
【００１３】
また、本発明の携帯電話端末用ナビゲート情報配信方法において、前記携帯電話端末の位置情報は、前記携帯電話端末が備えるＧＰＳ受信機機能を利用して検出するようにしている。
【００１４】
更に、本発明の携帯電話端末用ナビゲート情報配信方法において、前記広告の対象店舗の位置情報は、この広告とともに予め保有しておくようにし、前記地図情報は、前記広告の対象店舗を含む予め定めた範囲の地図情報であり前記広告とともに予め保有しておくようにしている。
【００１５】
【発明の実施の形態】
次に、本発明の実施の形態について図面を参照して説明する。
【００１６】
図１は、本発明の携帯電話端末用広告配信方法の一つの実施の形態及び本発明の携帯電話端末用ナビゲート情報配信方法の一つの実施の形態が適用されるシステムの構成図を示す。
【００１７】
図１に示すシステムは、携帯電話事業者サーバ１と、携帯電話端末２と、パーソナルコンピュータ等の端末（以後、ＰＣ４と記載する）と、携帯電話事業者サーバ１と携帯電話端末２とを接続する移動体通信網３と、ＰＣ４と携帯電話事業者サーバ１とを接続するインターネット等のネットワーク５とにより構成する。
【００１８】
携帯電話端末２は、例えば、文字送受信機能，動画受信機能及びＧＰＳ受信機機能を備えており、図示しない複数の基地局を含む移動体通信網３を介して携帯電話事業者サーバ１と接続している。
【００１９】
携帯電話端末２又はＰＣ４は、携帯電話端末２の使用者の指示により、携帯電話端末２の使用者の希望するカテゴリの広告を予め携帯電話事業者サーバ１に登録しておく。
【００２０】
携帯電話事業者サーバ１は、携帯電話端末２に対し位置測定要求を出力し、この出力に応答して携帯電話端末２が出力する位置情報を受け、この位置情報により特定のエリアに携帯電話端末２が存在することを検出し、携帯電話端末２の使用者が希望するカテゴリの広告を携帯電話端末２に配信する。この後、携帯電話端末２より、店舗情報要求を受け、携帯電話端末２へ配信した広告の対象店舗への道順情報等の携帯電話端末２の使用者を店舗へ導くための情報を時々刻々配信する。
【００２１】
携帯電話端末２は、携帯電話事業者サーバ１より位置測定要求を受けＧＰＳ通信機機能により位置を検出し、この位置情報を携帯電話事業者サーバ１に送り、携帯電話事業者サーバ１より配信された広告を受けて表示し、この携帯電話端末２の使用者の指示により、店舗情報要求を携帯電話事業者サーバ１に送り、携帯電話事業者サーバ１より配信された広告の対象店舗への道順情報等を時々刻々受けて表示する。
【００２２】
次に、図１で示すシステムの動作について図２を参照して詳細に説明する。
【００２３】
図２は、図１で示すシステムの動作の一例を示し、本発明の携帯電話端末用広告配信方法および携帯電話端末用ナビゲート情報配信方法の一例を示すフローチャートである。
【００２４】
図１において、図２のステップ１では、携帯電話事業者サーバ１は、携帯電話事業者の指示により、移動体通信網３がカバーする領域の地図情報を予めデータベース（以後、ＤＢ６と記載する）に登録する。また、携帯電話事業者の指示により、移動体通信網３がカバーする領域を複数に区切った複数の特定のエリアを決めＤＢ６に予め登録する。例えば、繁華街を中心に徒歩圏内毎にエリアを区切る等して複数の特定のエリアを決めＤＢ６に予め登録する。更に、携帯電話事業者サーバ１は、予め、広告を依頼する広告主より広告情報を予め受けＤＢ６に登録する。ここで広告情報とは、広告のカテゴリ（グルメ、ランチ、ホテル、パソコン等）、広告のカテゴリ毎の配信時間（例えば、１１：００から１３：００）、店舗の位置情報、広告のカテゴリ毎の広告内容（文字情報や動画等）等である。
【００２５】
ステップ２では、携帯電話端末２又はＰＣ４は、携帯電話端末２の使用者の指示により、広告配信サービスを受けるための各種情報を含む配信申し込み情報を移動体通信網３又はネットワーク５を介して携帯電話事業者サーバ１に予め送り、携帯電話事業者サーバ１は、この配信申し込み情報を受け予めＤＢ６に登録する。ここで、配信申し込み情報とは、配信希望又は配信不要、広告のカテゴリ（グルメ、ランチ、ホテル、パソコン等）、携帯電話端末２のユーザＩＤ（例えば携帯電話端末２の電話番号）等である。
【００２６】
ステップ３では、携帯電話事業者サーバ１は、ステップ２で登録した携帯電話端末２のユーザＩＤの示す携帯電話端末２に対し移動体通信網３を介して位置測定要求を出力する。
【００２７】
ステップ４では、携帯電話端末２は、携帯電話事業者サーバ１より位置測定要求を受けＧＰＳ通信機機能により複数のＧＰＳ衛星から受信した情報に基づいて位置の検出を開始し、この検出した位置情報を携帯電話事業者サーバ１に移動体通信網３を介して送り続ける。
【００２８】
ステップ５では、携帯電話事業者サーバ１は、携帯電話端末２より位置情報を受け、受ける毎にこの位置情報を使用して予めＤＢ６に登録した複数の特定のエリアに携帯電話端末２が存在するか否かを調べ、調べた結果が特定のエリアに携帯電話端末２が存在することを示すときにステップ６へ進む。
【００２９】
ステップ６では、携帯電話事業者サーバ１は、ステップ２でＤＢ６に登録したこの携帯電話端末２の配信申し込み情報より配信希望か配信不要かを調べ、調べた結果が配信不要を示すときには終了する。また、調べた結果が配信希望を示すときにはステップ７へ進む。
【００３０】
ステップ７では、携帯電話事業者サーバ１は、ステップ１でＤＢ６に登録した広告情報内に、携帯電話端末２が存在する特定エリア内の店舗でステップ２でＤＢ６に登録したこの携帯電話端末２の配信申し込み情報内の広告のカテゴリと一致する広告のカテゴリがあるか否かを調べ、調べた結果が一致する広告のカテゴリがないことを示すときには終了する。また、調べた結果が一致する広告のカテゴリがあることを示すときにはステップ８へ進む。
【００３１】
ステップ８では、携帯電話事業者サーバ１は、ステップ７で調べた広告のカテゴリの配信時間をステップ１でＤＢ６に登録した広告情報より抽出し、この配信時間に現在の時間が入っているか否かを調べ、調べた結果が現在の時間が入っていないことを示すときには終了する。また、調べた結果が現在の時間が入っていることを示すときにはステップ９へ進む。
【００３２】
ステップ９では、携帯電話事業者サーバ１は、ステップ７で調べた広告のカテゴリの広告内容をＤＢ６より取り出し移動体通信網３を介して携帯電話端末２に配信する。
【００３３】
ステップ１０では、携帯電話端末２は、移動体通信網３を介してこの配信された広告内容を受けて表示する。このとき、動画での広告であれば、文字情報での広告に比べどのような商品（食品、ランチ、パソコン等）等が販売等されているのかその詳細がより良く分かり、広告として宣伝効果に優れている。
【００３４】
ステップ１１では、携帯電話端末２は、この携帯電話端末２の使用者がこの広告を見たのちに、この携帯電話端末２の使用者の指示により、店舗情報要求を移動体通信網３を介して携帯電話事業者サーバ１に送る。
【００３５】
ステップ１２は、携帯電話事業者サーバ１は、この店舗情報要求を受けると、ステップ９で携帯電話端末２に配信した広告の対象店舗の位置情報と、この店舗の位置情報の示す店舗の位置とステップ５で携帯電話端末２より受けた携帯電話端末２の位置情報の示す携帯電話端末２の位置とを含む地図情報とをＤＢ６より取り出し、携帯電話端末２の位置情報，広告の対象店舗の位置情報，携帯電話端末２の位置と店舗の位置とを含む地図情報及び携帯電話端末２の位置から店舗の位置までの道順情報を携帯電話端末２に時々刻々配信する。
【００３６】
ステップ１３では、携帯電話端末２は、携帯電話端末２の位置情報，広告の対象店舗の位置情報，携帯電話端末２の位置と店舗の位置とを含む地図情報及び携帯電話端末２の位置から店舗の位置までの道順情報を携帯電話事業者サーバ１より時々刻々受けて表示する。携帯電話端末２の使用者は、この表示を見ながら店舗まで行く。
【００３７】
【発明の効果】
以上説明したように、本発明によれば、予め配信を希望する携帯電話端末が特定のエリアに位置するときに動画による広告を配信するようにしたため、文字情報での広告配信に比べ宣伝効果に優れた広告配信ができる。
【００３８】
また、本発明によれば、携帯電話端末へ広告を配信した後に、携帯電話端末へ配信した広告の対象店舗への道順情報等の携帯電話端末の使用者を店舗へ導くための情報を時々刻々配信するため、携帯電話端末の使用者が広告の対象店舗へ来店する確率を上げることができる。
【図面の簡単な説明】
【図１】本発明の携帯電話端末用広告配信方法の一つの実施の形態及び本発明の携帯電話端末用ナビゲート情報配信方法の一つの実施の形態が適用されるシステムの構成図である。
【図２】図１で示すシステムの動作の一例を示し、本発明の携帯電話端末用広告配信方法および携帯電話端末用ナビゲート情報配信方法の一例を示すフローチャートである。
【符号の説明】
１　　携帯電話事業者サーバ
２　　携帯電話端末
３　　移動体通信網
４　　ＰＣ
５　　ネットワーク
６　　ＤＢ
【図１】
2004015760.tif 000003
【図２】
2004015760.tif 000004